(57)【要約】【課題】  ラックに段積みされたスプライスユニットに後から簡単に光ケーブルを追加して引き込むことができるスプライスユニットを提供する。【解決手段】  ラック１１に段積みされるスプライスユニットであって、ユニット本体１に、光ケーブル１２を固定するためのケーブルクランプ５とテンションメンバクランプ６を備えたケーブル把持部４を引き出し自在に設けた。また、ユニット本体１は、ラックに装着される固定部２と前方側へスライドして引き出し自在な引き出し部３とからなり、該引き出し部３の後方部には固定部２の後方側に設けたケーブル把持部４と干渉しないように床上げされた段上部９が形成されているとともに、この段上部９上に融着トレー７が設けられているものとすることもできる。【選択図】      図１
2005148327.tif 000002
【特許請求の範囲】
【請求項１】
ラックに段積みされるスプライスユニットであって、ユニット本体に、光ケーブルを固定するためのケーブルクランプとテンションメンバクランプを備えたケーブル把持部を引き出し自在に設けたことを特徴とするスプライスユニット。
【請求項２】
ユニット本体は、ラックに装着される固定部と前方側へスライドして引き出し自在な引き出し部とからなり、該引き出し部の後方部には固定部の後方側に設けたケーブル把持部と干渉しないように床上げされた段上部が形成されているとともに、この段上部上に融着トレーが設けられている請求項１に記載のスプライスユニット。
【請求項３】
固定部と引き出し部との間にはケーブルガイドが設けられており、該ケーブルガイドが段上部の下面に収納可能とされている請求項２に記載のスプライスユニット。
【発明の詳細な説明】
【技術分野】
【０００１】
本発明は、ラックに段積みされたスプライスユニットに後から簡単に光ケーブルを追加して引き込むことができるスプライスユニットに関するものである。
【背景技術】
【０００２】
従来から、ラックに段積みされるスプライスユニットとして、後方から内部に光ケーブルを引き入れた後、内部で余長を取り、また後方へ引き出したり前方へアダプタ接続するものがある（例えば、特許文献１参照）。このような光ケーブルを接続するスプライスユニットには、図１０および図１１に示されるように、光ケーブルを固定するためのケーブルクランプ３５とテンションメンバクランプ３６を備えたケーブル把持部３４が設けられており、このケーブル把持部３４はユニット本体内に固定されているのが普通である。また、ユニット本体３１は上面が開放されたボックス形状であるため、上面の開放部を利用して光ケーブルをケーブルクランプ３５とテンションメンバクランプ３６に固定して配線していた。なお、図において３７は融着トレー、３８はケーブルガイドである。
【０００３】
しかしながら、上記のようなものでは、ラックに段積みされた場合、上面の開放部が塞がれてしまうために、光ケーブルを後方側からケーブルクランプ３５とテンションメンバクランプケーブル３６に固定することができず、新たに別のユニットをラックに取付けることにより光ケーブルを増設する必要があった。
【０００４】
一方、ユニット本体３１は、ラックに装着される固定部３２と前方側へスライドして引き出し自在な引き出し部３３とからなり、該引き出し部３３の中央部に融着トレー３７が設けられているのが普通である。このため、光コードの余長スペースを確保するにはユニット本体３１全体を大きくせねばならならないという問題点や、光コードの余長を収納できる本数が限られて施工性に劣るという問題点もあった。
【特許文献１】特開２０００−２７５４４７号公報
【発明の開示】
【発明が解決しようとする課題】
【０００５】
本発明は上記した従来の問題点を解決して、ラックに段積みされたスプライスユニットに後から簡単に光ケーブルを追加して引き込むことができ、またユニット本体を小型化しても十分な光ケーブルの余長スペースを確保することができるスプライスユニットを提供するためになされたものである。
【課題を解決するための手段】
【０００６】
上記の課題を解決するためになされた本発明のスプライスユニットは、ラックに段積みされるスプライスユニットであって、ユニット本体に、光ケーブルを固定するためのケーブルクランプとテンションメンバクランプを備えたケーブル把持部を引き出し自在に設けたことを特徴とするものである。
【０００７】
また、ユニット本体は、ラックに装着される固定部と前方側へスライドして引き出し自在な引き出し部とからなり、該引き出し部の後方部には固定部の後方側に設けたケーブル把持部と干渉しないように床上げされた段上部が形成されているとともに、この段上部上に融着トレーが設けられているものとすることや、固定部と引き出し部との間にはケーブルガイドが設けられており、該ケーブルガイドが段上部の下面に収納可能とされているものとすることもできる。
【発明の効果】
【０００８】
本発明では、ユニット本体に、光ケーブルを固定するためのケーブルクランプとテンションメンバクランプを備えたケーブル把持部を引き出し自在に設けたものとしたので、スプライスユニットをラックに段積みした場合でも、ケーブル把持部を後方側へ引き出すことにより簡単に光ケーブルを増設できることとなる。また、別の新たなスプライスユニットをラックに取付けなくても、光ケーブルを増設できることとなる。
更に、引き出し部の後方部に床上げされた段上部を形成して、この段上部上に融着トレーを設けた場合は、光コードの余長スペースが大きくなり余長を多くとれるとともに、多心数の光コードにも対応することができることとなる。
【発明を実施するための最良の形態】
【０００９】
以下に本発明を図面とともに詳細に説明する。
【００１０】
図１は本発明のスプライスユニットであってケーブル把持部を後方へ引き出した状態を示す斜視図、図２は同様の融着トレー７及び後述する段上部を略した場合を示す斜視図である。また、図３は本発明のスプライスユニットをラック１１に段積みした状態を示す正面図、図４はその側面図、図５はその斜視図、図６は要部の拡大斜視図である。図７は、引き出し部３を引き出した状態を示す側面図、図８はその斜視図、図９は収納状態を示す斜視図である。図において、１はユニット本体であり、図示のものでは、ユニット本体１はラックに装着される固定部２と前方側へスライドして引き出し自在な引き出し部３とから構成されている。なお、図中、８は余長収納部、１２は光ケーブルである。
【００１１】
そして本発明では、ユニット本体１の後部に、光ケーブル１２を固定するためのケーブルクランプ５とテンションメンバクランプ６を備えたケーブル把持部４を後方側へ引き出し自在に設けたものとなっている。
このように、ケーブル把持部４が必要に応じて任意に後方側へ引き出し可能な構造となっているので、スプライスユニットをラック１１に段積みして、上面の開放部が塞がった状態となっても、ケーブル把持部４を後方側へ引き出すことでケーブルクランプ５とテンションメンバクランプ６を外部へ露出させ、簡単に光ケーブル１２を固定・増設できることとなる。また、光ケーブル１２を増設後はケーブル把持部４を前方側へ戻せばユニット本体１内に再び収納されるので邪魔になることもない。従って、従来のように別の新たなスプライスユニットをラックに取付けなくても、光ケーブル１２を簡単に増設できることとなる。なお、ケーブル把持部４は後方側へ引き出すもので説明したが、ユニット本体１の固定部２の側面の孔を利用して横方向に引き出せるようにしてもよい。
【００１２】
図７に示すように、ユニット本体１は、ラック１１に装着される固定部２と前方側へスライドして引き出し自在な引き出し部３とからなり、該引き出し部３の後方部には固定部２の後方側に設けたケーブル把持部４と干渉しないように床上げされた段上部９が形成されているとともに、この段上部９上に融着トレー７が設けられたものとなっている。
【００１３】
すなわち、従来は融着トレー７が引き出し部３の中央部に設けられていたので、光コードの余長スペースを確保するにはユニット本体全体を大きくせねばならならないという問題点や、光コードの余長を収納できる本数が限られるという問題点があったのに対し（図１０、図１１参照）、図７のものでは引き出し部３の後方部に固定部２の後方側に設けたケーブル把持部４と干渉しないように床上げされた段上部９が形成されており、この段上部９上に融着トレー７を設けたものとなっている。つまり、本発明では融着トレー７を床上げされた段上部９上に設置することで引き出し部３の中央部に空白スペースを確保し、このスペースに余長収納部８を形成して余長コードを収納させることでコンパクトなユニット構造を達成するのである。
【００１４】
なお、固定部２と引き出し部３との間にケーブルガイド１０（一点鎖線で表示）が設けられており、該ケーブルガイド１０を段上部９の下面に収納可能とすることもでき、この場合は、ケーブルガイド１０が段上部９の下面にスッポリと完全に収納されるためコードの余長スペース確保のためにユニット自体を大きくする必要がなくなり、コンパクトなユニット構造が可能となる。
【００１５】
このように、本発明ではユニット本体１に、光ケーブル１２を固定するためのケーブルクランプ５とテンションメンバクランプ６を備えたケーブル把持部４を引き出し自在に設けたものとなっているので、ケーブル把持部４を引き出してケーブルクランプ５とテンションメンバクランプ６を外部へ露出させれば、簡単に光ケーブル１２を固定・増設できることとなる。
また、該引き出し部３の後方部に固定部２の後方側に設けたケーブル把持部４と干渉しないように床上げされた段上部９が形成されているとともに、この段上部９上に融着トレー７が設けられたものとすれば、引き出し部３の中央部に空白スペースを確保し、このスペースに余長収納部８を形成して余長コードを収納させることが可能となり、更には、ケーブルガイド１０を段上部９の下面に収納すればよりコンパクトなユニット構造が提供できることとなる。
【図面の簡単な説明】
【００１６】
【図１】融着トレーを有する場合の本発明の実施の形態を示す斜視図である。
【図２】融着トレーを略した場合の本発明の実施の形態を示す斜視図である。
【図３】本発明のスプライスユニットをラック１１に段積みした状態を示す正面図である。
【図４】図３の側面図である。
【図５】図３の斜視図である。
【図６】図３の要部の拡大斜視図である。
【図７】引き出し部を引き出した状態を示す側面図である。
【図８】図７の斜視図である。
【図９】図７の収納状態を示す斜視図である。
【図１０】従来例の収納状態を示す斜視図である。
【図１１】従来例の引き出し状態を示す斜視図である。
【符号の説明】
【００１７】
１  ユニット本体
２  固定部
３  引き出し部
４  ケーブル把持部
５  ケーブルクランプ
６  テンションメンバクランプ
７  融着トレー
８  余長収納部
９  段上部
１０  ケーブルガイド
１１  ラック
１２  光ケーブル
【図１】
2005148327.tif 000003
【図２】
2005148327.tif 000004
【図３】
2005148327.tif 000005
【図４】
2005148327.tif 000006
【図５】
2005148327.tif 000007
【図６】
2005148327.tif 000008
【図７】
2005148327.tif 000009
【図８】
2005148327.tif 000010
【図９】
2005148327.tif 000011
【図１０】
2005148327.tif 000012
【図１１】
2005148327.tif 000013